(57)【要約】【課題】転がり抵抗の低減と操縦の安定性とを共に具備し、しかも、耐久性に優れたタイヤを提供する。【解決手段】走行面に接地する環状のトレッド部２と、環状のトレッド部２の左右両側より内周側に配置された一対のサイドウォール部３と、各サイドウォール部３の最内周に配置され、リム部に取り付けされる一対のビード部４とを備え、トレッド接地幅ＴＷとセクション幅ＳＷの比である（ＴＷ／ＳＷ）値が０．６以上０．７５以下の範囲であるタイヤ１Ａであって、各サイドウォール部３は、トレッド部２の接地面側を基準としてセクション高さＳＨの少なくとも５０％以上の領域まで、トレッド部２のゴム材と同一のゴム材にて形成されている。【選択図】図１
2008201380.tif 000002
【特許請求の範囲】
【請求項１】
走行面に接地する環状のトレッド部と、環状の前記トレッド部の左右両側より内周側に配置された一対のサイドウォール部と、前記各サイドウォール部の最内周に配置され、リム部に取り付けされる一対のビード部とを備え、トレッド接地幅ＴＷとセクション幅ＳＷの比である（ＴＷ／ＳＷ）値が０．６以上０．７５以下の範囲であるタイヤであって、
前記各サイドウォール部は、前記トレッド部の接地面側を基準としてセクション高さの少なくとも５０％以上の領域まで、前記トレッド部のゴム材と同一のゴム材にて形成されていることを特徴とするタイヤ。
【請求項２】
セクション幅ＳＷとセクション高さＳＨの比（ＳＨ／ＳＷ）である扁平率が６０％以下であることを特徴とする請求項１に記載のタイヤ。
【発明の詳細な説明】
【技術分野】
【０００１】
本発明は、転がり抵抗の低減と操縦の安定性とを共に具備するタイヤに関する。
【背景技術】
【０００２】
近年、環境対策から車を省燃費化して排出ガスを低減するため、タイヤの転がり抵抗を低減することが重要視されてきている。又、交通安全の観点から操縦の安定性を確保できるタイヤが求められることはいうまでもない。以上より、転がり抵抗の低減と操縦の安定性とを共に具備するタイヤが求められる。
【０００３】
一般的な空気入りのタイヤは、トレッド接地幅ＴＷとセクション幅ＳＷの比（ＴＷ／ＳＷ）が０．８以上であるが、タイヤの転がり抵抗を低減するには、トレッド部のゴム量を少なくすると共にタイヤが走行面より受ける力を小さくすれば良く、このためにはトレッド接地幅ＴＷを狭くすることが有効である。しかし、トレッド接地幅ＴＷをあまりに狭くし過ぎると、タイヤが走行面より受ける力が小さくなり過ぎてしまう結果、操縦の安定性が低下する。以上より、トレッド接地幅ＴＷとセクション幅ＳＷの比（ＴＷ／ＳＷ）が０．８より小さい所定の範囲とすれば、転がり抵抗の低減と操縦の安定性とを共に具備することができる。特許文献１には（ＴＷ／ＳＷ）値を０．５５〜０．７０の範囲、特許文献２では０．３〜０．６の範囲としたタイヤが開示されている。
【特許文献１】特開平５−３４５５０６号公報
【特許文献２】特開平７−１９５９０８号公報
【発明の開示】
【発明が解決しようとする課題】
【０００４】
しかしながら、前記した従来の転がり抵抗の低減と操縦の安定性とを共に具備するタイヤでは、セクション幅ＳＷに対してトレッド接地幅ＴＷが狭いために、トレッド部からサイドウォール部にかけて緩やかな曲線を持つ形状となる。そのため、タイヤが走行面の凹凸による荷重変動を受ける時、コーナリングしてタイヤ接地面が外側に広がった時、タイヤが縁石に乗り上げた時、低いタイヤ空気圧で走行した時等に、サイドウォール部が走行面等に擦れる可能性が高くなる。サイドウォール部が擦れ等によって損傷を受けると、タイヤの故障につながる。従って、前記従来のタイヤは、転がり抵抗の低減と操縦の安定性とを共に具備するが、耐久性に劣るという問題がある。
【０００５】
そこで、本発明は、前記した課題を解決すべくなされたものであり、転がり抵抗の低減と操縦の安定性とを共に具備し、しかも、耐久性に優れたタイヤを提供することを目的とする。
【課題を解決するための手段】
【０００６】
請求項１の発明は、走行面に接地する環状のトレッド部と、環状の前記トレッド部の左右両側より内周側に配置された一対のサイドウォール部と、前記各サイドウォール部の最内周に配置され、リム部に取り付けされる一対のビード部とを備え、トレッド接地幅ＴＷとセクション幅ＳＷの比である（ＴＷ／ＳＷ）値が０．６以上０．７５以下の範囲であるタイヤであって、前記各サイドウォール部は、前記トレッド部の接地面側を基準としてセクション高さの少なくとも５０％以上の領域まで、前記トレッド部のゴム材と同一のゴム材にて形成されていることを特徴とする。
【０００７】
請求項２の発明は、請求項１に記載のタイヤであって、セクション幅ＳＷとセクション高さＳＨの比（ＳＨ／ＳＷ）である扁平率が６０％以下であることを特徴とする。
【発明の効果】
【０００８】
請求項１の発明によれば、トレッド接地幅ＴＷとセクション幅ＳＷの比である（ＴＷ／ＳＷ）値が０．７５より大きいと、トレッド接地幅が大きくなってタイヤの転がり抵抗を低減することができず、トレッド接地幅ＴＷとセクション幅ＳＷの比である（ＴＷ／ＳＷ）値が０．６未満であると、タイヤが走行面より受ける横力が小さ過ぎるため操縦の安定性を図ることができない。本発明では、トレッド接地幅ＴＷとセクション幅ＳＷの比である（ＴＷ／ＳＷ）値が０，６〜０．７５の範囲であるため、転がり抵抗の低減と操縦の安定性とを共に具備することができる。
【０００９】
又、（ＴＷ／ＳＷ）値が０．６〜０．７５の範囲であるため、凹凸走行面での走行時、コーナリング時、縁石乗り上げ時、低いタイヤ空気圧での走行時等にあって、サイドウォール部が走行面等に擦れる可能性が高いが、サイドウォール部がトレッド部と同じ破壊強力が非常に高いゴムにて形成されているため、サイドウォール部が走行面等に擦れても容易には損傷せず、耐久性に優れている。以上より、転がり抵抗の低減と操縦の安定性とを共に具備し、しかも、耐久性に優れたタイヤを提供できる。
【００１０】
又、サイドウォール部の少なくとも上部領域にトレッド部と同じゴム材が使用されているため、旋回に強い横力を発生させることができ、操縦安定性が向上するという利点もある。
【００１１】
更に、破壊強力が非常に高いゴム材は発熱性が高いため、サイドウォール部の走行面等と擦れる可能性のある上部領域にのみ破壊強力が非常に高いゴム材を使用し、その以外の箇所には熱熱性の低いゴム材を使用することによって、サイドウォール部の発熱を極力低減できる。
【００１２】
請求項２の発明によれば、サイドウォール部が走行面等に擦れる可能性が一層高くなるが、上述したようにサイドウォール部が走行面等に擦れても容易には損傷しない。以上より、扁平タイヤにおいて、転がり抵抗の低減と操縦の安定性とを共に具備し、しかも、耐久性に優れたものを提供できる。
【発明を実施するための最良の形態】
【００１３】
以下、本発明の実施の形態を図面に基づいて説明する。
【００１４】
（第１の実施の形態）
図１は本発明の第１の実施の形態に係るタイヤのトレッド幅方向の断面図である。図１に示すように、タイヤ１Ａは、走行面に接地する環状のトレッド部２と、環状のトレッド部２の左右両側より内周側に配置された一対のサイドウォール部３と、この各サイドウォール部３の最内周に配置され、タイヤホイールのリム部（図示せず）に取り付けされる一対のビード部４とを備えている。トレッド部２、サイドウォール部３及びビード部４は、ゴム材にてそれぞれ形成され、ゴム材の詳細については下記する。
【００１５】
トレッド部２の内周面には、複数のベルト層５が配置されている。トレッド部２のベルト層５の内周と、一対のサイドウォール部３及び一対のビード部４の内側には、カーカス層６が配置されている。カーカス層６は、ビード部４の箇所ではビードコア７ａとビードフィラー７ｂからなるビード補強部７を巻き付けるように配置されている。カーカス層６の更に内側には、チューブに相当する気密性の高いゴム層であるインナーライナー８が配置され、インナーライナー８の内部に空気充填室９が形成されている。
【００１６】
タイヤ１Ａは、トレッド接地幅ＴＷとセクション幅ＳＷの比である（ＴＷ／ＳＷ）値が０．６以上０．７５以下の範囲である。
【００１７】
ここで、「セクション幅」とは、タイヤ軸方向の最大幅をいう。「トレッド接地幅ＴＷ」とは、タイヤを「適応リム」に装着して「規定の空気圧」を充填するとともに、そのタイヤを平板上に垂直姿勢で静止配置して、「規定の質量」に対応する負荷を加えたときの平板との接触面におけるタイヤ軸方向最大直線距離をいう。
【００１８】
「適応リム」とは、タイヤのサイズに応じて下記の規格に規定されたリムをいう。「規定の空気圧」とは、下記の規格において、最大負荷能力に対応させて規定される空気圧をいい、「最大負荷能力」とは、下記の規格で、タイヤに負荷することが許容される最大の質量をいう。「規定の質量」とは、上記の最大負荷能力をいう。なお、ここでいう「空気」とは、窒素ガスなどの不活性ガスその他に置換することも可能である。そして、「規格」とは、タイヤが生産または使用されている地域に有効な産業規格であり、例えば、アメリカ合衆国では「THE TIRE AND RIM ASSOCIATION INC.のYEAR BOOK」をいう。欧州では「THE European Tyre and Rim Technical OrganizationのSTANDARDS MANUAL」をいう。日本では日本自動車タイヤ協会の「JATMA YEAR BOOK」をいう。
【００１９】
次に、トレッド部２及びサイドウォール部３のゴム材の構成について説明する。トレッド部２は、走行面に接触する箇所であるため、走行面との摩擦抵抗が大きく、且つ、破壊強力が２０〜３０ＭＰａ程度の非常に大きなゴム材にて形成されている。各サイドウォール部３は、トレッド部２の接地面側を基準としてセクション高さＳＨの少なくとも５０％以上の位置を分割位置し、その上部領域３Ａがトレッド部２のゴム材と同一のゴム材にて形成されている。つまり、サイドウォール部３の５０％以上の領域にトレッドゴムが使用されている。下部領域３Ｂは、１３〜１５ＭＰａの破壊強力のゴム材にて形成されている。
【００２０】
以上、第１の実施の形態に係るタイヤ１Ａは、トレッド接地幅ＴＷとセクション幅ＳＷの比である（ＴＷ／ＳＷ）値が０．６以上０．７５以下の範囲に形成されているため、転がり抵抗の低減と操縦の安定性とを共に具備することができる。つまり、トレッド接地幅ＴＷとセクション幅ＳＷの比である（ＴＷ／ＳＷ）値が０．７５より大きいと、トレッド接地幅ＴＷが大きくなってタイヤの転がり抵抗を低減することができず、（ＴＷ／ＳＷ）値が０．６未満であると、タイヤが走行面より受ける横力が小さ過ぎるため操縦の安定性を図ることができない。以上より、転がり抵抗の低減と操縦の安定性とを共に具備することができる。
【００２１】
又、（ＴＷ／ＳＷ）値が０．６〜０．７５の範囲であるため、凹凸走行面での走行時、コーナリング時、縁石乗り上げ時、低いタイヤ空気圧での走行時等にあって、サイドウォール部３が走行面等に擦れる可能性が高いが、サイドウォール部３の上部領域３Ａにトレッド部２と同じゴム材が使用されているため、サイドウォール部３が走行面等に擦れても容易には損傷せず、耐久性に優れている。以上より、転がり抵抗の低減と操縦の安定性とを共に具備し、しかも、耐久性に優れたタイヤ１Ａを提供できる。
【００２２】
又、サイドウォール部３の少なくとも上部領域３Ａにトレッド部２と同じゴム材が使用されているため、旋回に強い横力を発生させることができ、操縦安定性が向上するという利点もある。
【００２３】
更に、破壊強力が非常に高いゴム材は発熱性が高いため、サイドウォール部３の走行面等と擦れる可能性のある上部領域３Ａにのみ破壊強力が非常に高いゴム材を使用し、それ以外の下部領域３Ｂには発熱性の低いゴム材を使用することによって、サイドウォール部３の発熱を極力低減できる。
【００２４】
次に、第１の実施の形態に係るタイヤ１Ａの効果を実証する比較実験を行ったので、それを説明する。実験に使用したタイヤは、第１の実施の形態を具現化した実施例１、２のタイヤと、従来例のタイヤと、比較例１〜４のタイヤである。各タイヤのサイズは、２２５／４５Ｒ１７で、リムサイズが７．５Ｊ×１７である。
【００２５】
先ず、従来例のタイヤと比較例１〜４のタイヤについて、サイドウォール部３の損傷及び損傷評価と操縦の安定性と転がり抵抗の軽減化の実験を行った。各タイヤのＴＷ／ＳＷ、サイドウォール部３におけるトレッド部２と同一ゴム材を使用したセクション高さＳＨに対する割合、接地面積については図２に示す通りである。接地面積は、従来例のタイヤを指数１００として比較例１〜４のタイヤを指数で表示した。
【００２６】
（１）サイドウォール部３の損傷及び損傷評価については、タイヤの空気圧を２３０ＫＰａ、荷重として４名乗車条件で、テストコース内を１５０００Ｋｍ走行し、走行後にサイドウォール部３の擦れ痕の有無、損傷度を相対比較評価した。損傷度については、擦れ痕の深さ方向の摩耗量を測定して評価した。
【００２７】
（２）操縦の安定性試験については、タイヤの空気圧を２３０ＫＰａ、荷重として４名乗車条件で、テストコース内を時速４０，６０，８０，１００，１２０Ｋｍでレーンチェンジした時の車両挙動の安定度及び応答性の遅れを官能評価した。従来例と同程度の安定度と応答性が得られた場合には○、従来例より劣っている場合には×とした。
【００２８】
（３）転がり抵抗試験については、空気圧を２３０ＫＰａ、荷重３．９２ＫＮという条件で、時速４０，６０，８０，１００Ｋｍの４水準の転がり抵抗値を室内ドラム試験機にて測定し、その平均を用い比較評価した。転がり抵抗は、従来例を指数１００として相対比較したものを比で表した。値が小さいほど転がり抵抗は小さく、良い方向にある。
【００２９】
図２の実験結果より分かるように、ＴＷ／ＳＷが０．８で、サイドウォール部３のトレッドゴム使用範囲が２５％である従来例では、操縦の安定性が図れるが、転がり抵抗の低減化が図れない。ＴＷ／ＳＷが０．５５で、サイドウォール部３のトレッドゴム使用範囲が２５％である比較例４では、転がり抵抗の低減化が最も図れるが、操縦の安定性が図れない。
【００３０】
一方、ＴＷ／ＳＷが０．７４、０．７０、０．６１で、サイドウォール部３のトレッドゴム使用範囲が２５％である比較例１〜３では、操縦の安定性と転がり抵抗の低減化が共に図れる。しかし、比較例１〜３では、サイドウォール部３が擦れによって損傷を受け、耐久性に問題がある。つまり、比較例１〜３は、サイドウォール部３のトレッドゴム使用範囲が少ないため、損傷が発生したと結論付けできる。
【００３１】
次に、上記した実験結果を踏まえて、比較例５のタイヤと本発明に係る実施例１及び実施例２のタイヤについて、サイドウォール部３の損傷及び損傷評価とコーナリングフォース（横力）について実験を行った。各タイヤのＴＷ／ＳＷ、サイドウォール部３におけるトレッド部２と同一ゴム材を使用したセクション高さＳＨに対する割合については図３に示す通りである。
【００３２】
（１）サイドウォール部３の損傷及び損傷評価については、上記と同様にして行い、図３に示す実験結果が得られた。
【００３３】
（２）コーナリングフォース（横力）については、空気圧を２３０ＫＰａ、荷重３．９２ＫＮという条件で、室内フラットベルト試験機にてスリップ角を付加したときのコーナリングフォース（横力）を測定した。そして、従来例のタイヤを指数１００として比較例５と実施例１、２の各タイヤを指数で表示した。
【００３４】
図３の実験結果より分かるように、サイドウォール部３におけるトレッド部２と同一ゴム材を使用したセクション高さＳＨに対する割合が４０％である比較例５では、サイドウォール部３が擦れによって損傷を受け、耐久性に問題がある。これに対し、サイドウォール部３におけるトレッド部２と同一ゴム材を使用したセクション高さＳＨに対する割合が５０％、６０％である実施例１及び実施例２では、サイドウォール部３が擦れによって微小の損傷を受けるものの耐久性に問題がないという結果が得られた。
【００３５】
又、コーナリングフォース（横力）については、比較例５と実施例１、２共に、従来例のタイヤよりも大きな値が得られた。
【００３６】
なお、サイドウォール部３において、セクション高さＳＨの６５％を越える範囲はサイド屈曲部を超える範囲となるため、上部領域３Ａと下部領域３Ｂの分割位置を６５％以上の位置とする必要性はない。つまり、各サイドウォール部３は、トレッド部２の接地面側を基準としてセクション高さＳＨの５０％以上６５％以下の位置を分割位置し、その上部領域３Ａにのみトレッド部２のゴム材と同一のゴム材を使用することが実用的である。
【００３７】
（第２の実施の形態）
第２の実施の形態に係るタイヤは、前記第１の実施の形態のものと比較して、扁平率のみが相違する。つまり、セクション幅ＳＷとセクション高さＳＨの比（ＳＨ／ＳＷ）である扁平率が６０％以下のタイヤである。
【００３８】
重複になるが、トレッド接地幅ＴＷとセクション幅ＳＷの比（ＴＷ／ＳＷ）は、０．６以上０．７５以下の範囲である。前記各サイドウォール部は、トレッド部の接地面側を基準としてセクション高さＳＨの少なくとも５０％以上の位置を分割位置し、その上部領域がトレッド部のゴム材と同一のゴム材にて形成されている。下部領域は、１３〜１５ＭＰａの破壊強力のゴム材にて形成されている。
【００３９】
図４に示すように、第２の実施の形態に係るタイヤは、扁平率が６０％以下になると、サイドウォール部の歪み量が大きくなる。そのため、サイドウォール部が走行面等に擦れる可能性が一層高くなるが、上述したようにサイドウォール部３が走行面等に擦れても容易には損傷しない。以上より、扁平タイヤにおいて、転がり抵抗の低減と操縦の安定性とを共に具備し、しかも、耐久性に優れたものを提供できる。
【００４０】
なお、図４において、扁平率４０、４５、５５、６０、６５％の各タイヤは、そのタイヤサイズが２０５／４０Ｒ１７、２２５／４５Ｒ１７、２０５／５５Ｒ１６、１６５／６０Ｒ１４、１９５／６５Ｒ１５である。
【図面の簡単な説明】
【００４１】
【図１】本発明の第１の実施の形態に係るタイヤのトレッド幅方向の断面図である。
【図２】従来例のタイヤと比較例１〜４のタイヤの実験結果を示す図である。
【図３】第１の実施の形態を具現化した実施例１、２のタイヤと比較例５のタイヤの実験結果を示す図である。
【図４】本発明の第２の実施の形態に係るタイヤの扁平率とサイドウォール部の歪み状態の関係を示す図である。
【符号の説明】
【００４２】
１Ａ〜１Ｃ  タイヤ
２  トレッド部
３  サイドウォール部
３Ａ  上部領域
３Ｂ  下部領域
４  ビード部
５  ベルト層
６  カーカス層
７  ビード補強部
８  インナーライナー
９  空気充填室
【図１】
2008201380.tif 000003
【図２】
2008201380.tif 000004
【図３】
2008201380.tif 000005
【図４】
2008201380.tif 000006